(57)【要約】【課題】移動体から受信基地局間での映像中継で発生した不具合を再現し解析を自動化する。  【解決手段】送信装置から少なくとも１つの中継装置を介して受信基地局に映像信号を伝送する伝送システムにおいて、前記送信装置と前記中継装置と前記受信基地局の少なくとも１つに、前記それぞれの装置における設定情報と操作情報と時刻情報と位置情報と気象情報と受信状態の情報の少なくとも１つを記録する。また、前記記録したそれぞれの情報を取得し、前記情報を基に、地図の表示画面に、それぞれの情報を関連付けて表示する。さらに、前記記録したそれぞれの情報を取得し、前記情報を基に、それぞれの装置を制御して、それぞれの情報を関連付けて、それぞれの装置の状態を再現する。【選択図】図１
2008205727.tif 000002
【特許請求の範囲】
【請求項１】
送信装置から少なくとも１つの中継装置を介して受信基地局に映像信号を伝送する伝送システムにおいて、前記送信装置と前記中継装置と前記受信基地局の少なくとも１つに、前記それぞれの装置における設定状態と操作内容と時刻情報と位置情報と気象情報と受信状態の少なくとも１つを記録する手段を有することを特徴とするデジタル伝送装置。
【発明の詳細な説明】
【技術分野】
【０００１】
本発明は、映像や音声信号やデータを伝送するデジタル伝送装置に関する。
【背景技術】
【０００２】
映像や音声信号の無線伝送には、数年前はアナログＦＭによる方法で映像や音声を伝送していたが、近年、ＱＡＭ（Ｑｕａｄｒａｔｕｒｅ  Ａｍｐｌｉｔｕｄｅ  Ｍｏｄｕｌａｔｉｏｎ）方式などによるデジタル伝送方式が用いられるようになっている。映像音声を基地局装置へ無線送信する装置を日本国内の放送業界では可搬型映像音声伝送装置（以下ＦＰＵ）と呼ぶ。
【０００３】
移動テレビ中継では、放送素材を移動体から電波にて送り、中継車やヘリコプタで受信し送信して山頂にある受信基地で受け本社へ再送信されることもある。本発明と従来で共通の放送局と受信基地局と移動中継局と移動体との映像伝送システムの1例の全体構成を示すブロック図を図３に示す。
【０００４】
ＧＰＳ（Global Positioning System）追尾はＧＰＳ衛星の電波受信機を搭載したヘリコプタなどの移動体から受信基地局に向けて映像音声とＧＰＳ位置情報を送信し、ＦＰＵ受信基地局のアンテナに接続された受信機で映像音声や位置情報を受信し、双方の相対角度を計算しアンテナ回転装置を自動的に操作することによりアンテナの方向調整を行い、移動体との伝送を行う機能である。
【０００５】
従来の移動体と移動中継局の送信制御部(ＴＣ)と受信制御部(ＲＣ)で、発生したエラー、アラームのみ記録していた。また、不具合を解析する場合は、エラー、アラームの内容やユーザの情報を基に手動操作で不具合の再現を行っていた。
【０００６】
具体的には、従来の不具合現象を再現する処理を示す模式図である図９において、リモート制御部（パソコン：ＰＣ）をＬＡＮ、又はシリアルで接続し、ＴＣの不揮発メモリとＲＣの不揮発メモリとにロギングされているログ情報を取得していた。
【０００７】
詳細には、ユーザの操作を受け、ＴＣ１６と送信高周波部（ＴＨ）２の設定を変える。次に、エラー、アラームが発生した場合のみ、起動時刻付きのログ情報を不発揮メモリに格納する。そして、ＰＣ３をＬＡＮ、又はシリアルで接続し、不揮発メモリにロギングされているログ情報を取得する。
【０００８】
従来のＲＣ２０もＴＣ１６と同様に、ユーザの操作を受け、ＲＣ２０と受信高周波部（ＲＨ）３の設定を変える。次に、エラー、アラームが発生した場合のみ、起動時刻付きのログ情報を不発揮メモリに格納する。そして、ＰＣ３をＬＡＮ、又はシリアルで接続し、不揮発メモリにロギングされているログ情報を取得する。
【０００９】
また、ＦＰＵ基地局では、送信されたＧＰＳ位置情報と伝搬情報とを記録し、中継車（送信側移動体）の位置情報と、基地局での受信電界レベル、ビットエラーレート等のデータとを、パソコン画面地図上の道路を色分けして表示していた。（特許文献１参照）
さらに、携帯電話等の移動通信端末の制御部は、通信の状態を特定する情報を生成しRSSIとBERを算出しメモリに格納し通信状態を再現していた。（特許文献２参照）
【特許文献１】特開２０００−９１８３０号公報
【特許文献２】特開２００６−６０４０２号公報
【発明の開示】
【発明が解決しようとする課題】
【００１０】
従来のエラー、アラームのみの記録では、不確実な情報による現象非再現となることが多かった。具体的には、取得したログには、エラー、アラームのみロギングされていたため、不具合現象を解析するのに、エラー、アラーム内容を一つ、一つ検討する必要があった。また、エラー、アラームログだけでは、根本の障害原因を解明できない事例が存在した。さらに、ログ時刻も起動時間であったため、不具合現象の発生箇所を特定するのに、エラー、アラーム内容を検討し、前後関係から判別していく作業が必要であった。又、複数のＦＰＵのログを連動させての解析も困難となっていた。また、操作ログが記録されてなく、ログから不具合現象を再現させることができなかった。
【００１１】
本発明は、これらの欠点を除去し、移動体から受信基地局間の映像中継で発生した不具合を再現し解析を自動化することのできる伝送システムの実現を目的とする。
【課題を解決するための手段】
【００１２】
本発明は、上記課題を解決するため、送信装置から少なくとも１つの中継装置を介して受信基地局に映像信号を伝送する伝送システムにおいて、前記送信装置と前記中継装置と前記受信基地局の少なくとも１つに、前記それぞれの装置における設定情報と操作情報と時刻情報と位置情報と気象情報と受信状態の情報の少なくとも１つを記録する手段を有するデジタル伝送装置である。
【００１３】
また本発明は、前記記録したそれぞれの情報を取得し、前記情報を基に、地図の表示画面に、前記記録したそれぞれの情報を関連付けて表示する方法である。
【００１４】
さらに本発明は、前記記録したそれぞれの情報を取得し、前記情報を基に、それぞれの装置を制御して、前記記録したそれぞれの情報を関連付けて、それぞれの装置の状態を再現する方法である。
【発明の効果】
【００１５】
以上説明したように本発明によれば、移動体と移動中継局の送信制御部(ＴＣ)と受信制御部(ＲＣ)にユーザの操作内容とＧＰＳ情報と気象情報と映像圧縮部の設定等の内部状態と伝送状態とエラー、アラームとを時刻と共に記録し、リモート制御部（パソコン：ＰＣ）によりその記録を取得し、その記録再生を元にＰＣよりＦＰＵ制御部をリモート制御して不具合現象を自動で再現させ、不具合を検証することができる。
【発明を実施するための最良の形態】
【００１６】
本発明による一実施例の構成と基本動作について図１、図２、図３、図４、図５、図６、図７を用いて説明する。
【００１７】
図１は本発明の１実施例のログ情報を取得する場合のシステム構成図であり、図２は本発明の１実施例のログ再生システムの構成を示すブロック図であり、図３は本発明と従来で共通の映像伝送システムの全体構成を示すブロック図である。
【００１８】
映像伝送システムの構成を示すブロック図の図１と図２と図３とにおいて、１ａ、１ｂ、１ｃ、１ｄは送信制御部（ＴＣ）、２ａ、２ｂ、２ｃ、２ｄは送信高周波部（ＴＨ）、３ａ、３ｂ、３ｃ、３ｄ、３ｅはリモート制御部（ＰＣ）、６ａ、６ｂ、６ｃ、６ｄ、７ａ、７ｂ、７ｃ、７ｄはアンテナ、４ａ、４ｂ、４ｃ、４ｄは受信高周波部（ＲＨ）、５ａ、５ｂ、５ｃ、５ｄ、は受信制御部（ＲＣ）であり、Ｗａ、Ｗｂ、Ｗｃ、Ｗｄは電波伝搬路である。また、Aat，Aar，Abt，Abr，Act，Acr，Adt，AdrはＧＰＳ情報と気象情報であり、Bat，Bar，Bbt，Bbr，Bct，Bcr，Bdt，Bdrはユーザ操作情報であり、８はテレビカメラ（カメラ）であり、１４はＶＴＲである。
【００１９】
本発明の１実施例のログ情報を取得する場合のシステム構成図である図１において、各ＴＣはＧＰＳ情報、気象情報、ユーザ操作、内部動作状態を時刻付きで不発揮メモリにロギングし、各ＲＣはＧＰＳ情報、気象情報、ユーザ操作、内部動作状態、伝送状態を時刻付きで不発揮メモリにロギングする。運用終了後、各ＴＣ、各ＲＣに同一のＰＣを順番にＬＡＮ又は、シリアル接続し、ログ情報を取得する。または、別々のＰＣをＬＡＮ又は、シリアル接続し、ログ情報を取得し、ログ情報を1台のＰＣに統合しても良い。
【００２０】
本発明の１実施例のログ再生システムの構成を示すブロック図である図２において、空中線の代わりに減衰器で接続したＴＣ、ＴＨ、ＲＣ、ＲＨを用意し（別のＴＣ、ＴＨ、ＲＣ、ＲＨでもよい）、取得したログ情報を順番に取得したＰＣまたはログ情報を統合したＰＣを用いて、ログ情報を基にＰＣよりリモート制御し不具合現象を再現させる。減衰器も伝送状態ログを元にリモート制御を行う。また、障害の発生したＴＣ、ＴＨ、ＲＣ、ＲＨのみの再現も可能である。その結果、ログ情報を元に忠実に再現できるため、不具合現象の解析を容易に行うことができる。
【００２１】
図４は本発明の１実施例の送信情報の記録する処理を示す模式図である。ＴＣの入力信号状態と操作情報とＧＰＳ情報と気象情報と映像圧縮部の設定等のＴＣの内部状態と高周波電力等のＴＨの設定状態と、エラー、アラーム情報を時刻を付け不揮発性メモリに記録する。
【００２２】
図５は本発明の１実施例の受信情報の記録する処理を示す模式図である。ＲＣの伝送状態と操作情報とＧＰＳ情報と気象情報と映像復調部の設定等の内部状態、エラー、アラーム情報を時刻を付け不揮発性メモリに記録する。
【００２３】
図４の送信情報記録と図５の受信情報記録を元に、図６の本発明の１実施例の送受信情報の再現する処理を示す模式図のように、ＰＣ上のＦＰＵ基地局制御用の地図に送信側ＴＣ、受信側ＲＣの移動履歴、気象情報とを、操作状態、内部状態、伝送状態、エラー、アラーム状態の履歴と連動させることにより、移動来歴の各地点における気象条件を含む伝送損失のシュミレーションが可能となり、移動体である送信側ＴＣ、受信側ＲＣの障害解析を効率よく行える。従来技術との主な相違点は、例えば図６の様に操作状態の方向調整状態（DIRECTION MODE）や気象情報の湿度（HUMIDITY 85%）や映像圧縮部の設定（TC 64QAM）や映像復調部の設定（RC 64QAM）や高周波電力（TH 5W）や受信エラー（BER 10EXT-6）等が表示されている事である。
【００２４】
図７は本発明の１実施例の送信制御部(ＴＣ)を示すブロック図であり、ユーザの操作を受け、まずＣＰＵ２４は操作部２３の操作情報をＣＰＵ２４内部のログ処理部２５に転送すると共に符号化部２１、変調部２２、送信高周波部（ＴＨ）２の設定を変える。次に、ＣＰＵ２４は符号化部２１、変調部２２、ＴＨ２の内部状態の変化をログ処理部２５に転送する。さらに、ＣＰＵ２４はＧＰＳ情報発生部２８のＧＰＳ情報と気象情報発生部３７の気象情報を定期的に取り込みログ処理部２５に転送する。そして、ＣＰＵ２４のログ処理部２５は転送された時刻を時刻情報発生部２６に問い合わせ、時刻付きのログ情報を不発揮メモリ２７に格納する。そして、ＰＣ３をＬＡＮ、又はシリアルで接続し、不揮発メモリ２７にロギングされているログ情報を取得する。
【００２５】
図８は本発明の１実施例の受信制御部(ＲＣ)を示すブロック図であり、図７のＴＣと同様に、ユーザの操作を受け、まずＣＰＵ３２は操作部３１の操作情報をＣＰＵ３２内部のログ処理部３３に転送すると共に復調部２９、復号化部３０、受信高周波部（ＲＨ）３の設定を変える。次に、ＣＰＵ３２は復調部２９、復号化部３０、ＲＨ３の伝送状態の変化をログ処理部３３に転送する。さらに、ＣＰＵ３２はＧＰＳ情報発生部３６のＧＰＳ情報と気象情報発生部３８の気象情報を定期的に取り込みログ処理部３３に転送する。そして、ＣＰＵ３２のログ処理部３３は転送された時刻を時刻情報発生部３４に問い合わせ、時刻付きのログ情報を不発揮メモリ３５に格納する。そして、ＰＣ３をＬＡＮ、又はシリアルで接続し、不揮発メモリ３５にロギングされているログ情報を取得する。
【００２６】
送信高周波部の情報も送信制御部で記録が現時点では、製品化容易であるが、将来は、送信高周波部の情報は送信高周波部でも記録を計画している。
【００２７】
また、変調方式やファン停止や高周波部への伝送断や入力異常等の警告とを記録しても良いし、ＳＨＦ伝搬減衰に影響する空気中の水分を測定する湿度センサや、高周波部の出力トランジスタの温度を測定する温度センサ等の情報を記録しても良い。
【００２８】
さらに、ＦＰＵ基地局に送信されたＧＰＳ位置情報と伝搬情報の記録と送信制御部に記録したＧＰＳ位置情報を組み合わせて、伝搬情報も再現できる。
【図面の簡単な説明】
【００２９】
【図１】本発明の１実施例のログ情報取得システムの構成を示すブロック図
【図２】本発明の１実施例のログ再生システムの構成を示すブロック図
【図３】本発明と従来で共通の映像伝送システムの1例の全体構成を示すブロック図
【図４】本発明の１実施例の送信情報記録の処理を示す模式図
【図５】本発明の１実施例の受信情報記録の処理を示す模式図
【図６】本発明の１実施例の送受信情報の再現する処理を示す模式図
【図７】本発明の１実施例の送信制御部(ＴＣ) の構成を示すブロック図
【図８】本発明の１実施例の受信制御部(ＲＣ) の構成を示すブロック図
【図９】従来の不具合現象を再現する処理を示す模式図
【符号の説明】
【００３０】
１ａ，１ｂ，１ｃ，１ｄ，１，１６：送信制御部（ＴＣ）、
２ａ，２ｂ，２ｃ，２ｄ，２，２０：送信高周波部（ＴＨ）、
３ａ，３ｂ，３ｃ，３ｄ，３：リモート制御部（パソコン：ＰＣ）、
４ａ，４ｂ，４ｃ，４ｄ，４ｅ，４：受信高周波部（ＲＨ）、
５ａ，５ｂ，５ｃ，５ｄ，５ｅ，５：受信制御部（ＲＣ）、
６ａ，６ｂ，６ｃ，６ｄ，６，７ａ，７ｂ，７ｃ，７ｄ，７：アンテナ、
８：テレビカメラ（カメラ）、９：中継バイク（バイク）、１０：中継車、
１１：中継ヘリコプタ、１２：中継局、１３：放送局、１４：ＶＴＲ、
１５ａ，１５ｂ，１５ｃ，１５ｄ：減衰器
２１：符号化部、２２：変調部(ＭＯＤ)、２３，３１：操作部、
２４、３２：ＣＰＵ、２５、３３：ログ処理部、２６，３４：時刻情報発生部、
２７，３５：不揮発メモリ、２８，３６：ＧＰＳ情報発生部、
２９：復調部(ＤＥＭ)、３０：復号化部、３７，３８：気象情報発生部、
Aat，Aar，Abt，Abr，Act，Acr，Adt，Adr：ＧＰＳ情報と気象情報、
Bat，Bar，Bbt，Bbr，Bct，Bcr，Bdt，Bdr：ユーザ操作情報
【図１】
2008205727.tif 000003
【図２】
2008205727.tif 000004
【図３】
2008205727.tif 000005
【図４】
2008205727.tif 000006
【図５】
2008205727.tif 000007
【図６】
2008205727.tif 000008
【図７】
2008205727.tif 000009
【図８】
2008205727.tif 000010
【図９】
2008205727.tif 000011